(57)【要約】【課題】電子キーシステムの携帯機を小型化する。【解決手段】本携帯機１では、本体３の収納部７にエマージェンシーキー（以下単に、キー）５が収納されるが、そのキー５の方に抜け防止用のロック機構があり、該ロック機構は、キー５の後端付近に該キー５の側面から突出するように設けられ、押されるとキー５の側面よりも沈み込むボタン９と、ボタン９を支持すると共に、該ボタン９が押された際には該ボタン９を元の位置へ戻るように付勢する支持部（図示省略）とからなる。そして、本体３には、（Ａ）の如くキー５が収納部７に収納された状態でボタン９が嵌合する穴１３が設けられており、その状態で穴１３からボタン９を押してキー５を引っ張れば、（Ｂ）の如くキー５を抜き出すことができ、該キー５を（Ｃ）の如く後端側から収納部７へ挿入して（Ｄ）の如くボタン９を穴１３に嵌合させれば、キー５の使用状態となる。【選択図】  図１
2004353404.tif 000002
【特許請求の範囲】
【請求項１】
電子キーシステムの携帯機であって、
当該携帯機の本体に設けられた収納部にメカニカルなエマージェンシーキーが挿入されて収納されると共に、
前記エマージェンシーキーを前記収納部に着脱可能に保持するためのロック機構が、前記エマージェンシーキー側に設けられていること、
を特徴とする電子キーシステムの携帯機。
【請求項２】
請求項１に記載の電子キーシステムの携帯機において、
前記エマージェンシーキーの使用時には、前記収納部から抜かれたエマージェンシーキーが、その収納部に当該エマージェンシーキーの後端側から所定長だけ挿入されることで、当該エマージェンシーキーにて鍵溝が設けられたキー部分が前記本体から突出した状態となるように構成されていること、
を特徴とする電子キーシステムの携帯機。
【請求項３】
請求項１に記載の電子キーシステムの携帯機において、
前記ロック機構は、
前記エマージェンシーキーにて鍵溝が設けられていない後端付近に、当該エマージェンシーキーの側面から外側へ突出するように設けられ、前記エマージェンシーキーの外側から内側への方向に押されることで、前記エマージェンシーキーの側面よりも外側へ突出する基準位置から、前記エマージェンシーキーの側面よりも外側へ突出しない位置に移動するボタン部と、
前記ボタン部を支持すると共に、前記ボタン部が前記方向に押された際には、該ボタン部を前記基準位置へ戻る方向に付勢する支持部とからなり、
当該携帯機の本体には、前記エマージェンシーキーが前記収納部に収納された状態で、前記エマージェンシーキーの前記ボタン部が嵌合する保持穴が設けられていること、
を特徴とする電子キーシステムの携帯機。
【請求項４】
請求項３に記載の電子キーシステムの携帯機において、
前記エマージェンシーキーの使用時には、前記収納部から抜かれたエマージェンシーキーが、その収納部に当該エマージェンシーキーの後端側から挿入されると共に、前記ボタン部が前記保持穴に嵌合することで、当該エマージェンシーキーにて鍵溝が設けられたキー部分が前記本体から突出した状態になること、
を特徴とする電子キーシステムの携帯機。
【請求項５】
請求項４に記載の電子キーシステムの携帯機において、
前記収納部は、前記エマージェンシーキーを貫通させることが可能に形成されており、
当該携帯機の本体には、前記収納部に収納された前記エマージェンシーキーを該収納部内で摺動させて、そのエマージェンシーキーの前記キー部分を当該本体から突出させた場合に、前記エマージェンシーキーの前記ボタン部が嵌合する第２の保持穴が設けられていること、
を特徴とする電子キーシステムの携帯機。
【請求項６】
請求項５に記載の電子キーシステムの携帯機において、
当該携帯機の本体には、前記保持穴と前記第２の保持穴とを結ぶスリットが形成されていると共に、
前記エマージェンシーキーのボタン部には、当該エマージェンシーキーを前記収納部内で摺動させる際に前記スリットから突出する突起が設けられていること、
を特徴とする電子キーシステムの携帯機。
【請求項７】
請求項３又は請求項４に記載の電子キーシステムの携帯機において、
前記収納部には、前記エマージェンシーキーが当該収納部に収納されて前記ボタン部が前記保持穴に嵌合している状態で、前記エマージェンシーキーを、当該収納部から押し出す方向に付勢する付勢部材が設けられていること、
を特徴とする電子キーシステムの携帯機。
【請求項８】
請求項１ないし請求項７の何れか１項に記載の電子キーシステムの携帯機において、
前記エマージェンシーキーの少なくとも本体部分は樹脂で形成されていること、
を特徴とする電子キーシステムの携帯機。
【発明の詳細な説明】
【０００１】
【発明の属する技術分野】
本発明は、電子キーシステムにおいて使用者に携帯される携帯機に関するものである。
【０００２】
【従来の技術】
従来より、使用者に携帯される携帯機と電子装置との間で無線通信によりＩＤを照合してドアの施解錠といったセキュリティ機能の動作を行う電子キーシステムが知られており、特に自動車では、車両盗難防止効果を高めるために、エンジンの始動許可も、携帯機と車載電子装置との間のＩＤ照合に基づいて行うようにしたものが実用化されている。
【０００３】
そして、この種の電子キーシステムでは、携帯機の電池の電力が無くなった場合に備えて、その携帯機の本体に設けられた収納部に、メカニカルなキー（キープレート）であるエマージェンシーキーを収納しておくようにしている（例えば、特許文献１参照）。
【０００４】
そして更に、従来の電子キーシステムの携帯機では、エマージェンシーキーが本体の収納部から容易に抜けない様にするためのロック機構を本体側に構成している。
例えば図８に示すように、携帯機１０１の本体１０３には、手動でスライド操作されるスライド部材１０５と、そのスライド部材１０５を一定方向に付勢するスプリング１０７とからなるロック機構が設けられており、スライド部材１０５のスプリング１０７側とは反対側の突起１０５ａが、本体１０３の収納部１０９に挿入されて収納されたエマージェンシーキー１１１の係合溝１１１ａに嵌合することで、エマージェンシーキー１１１が収納部１０９から抜けてしまうことが防止される。そして、この構成例では、スライド部材１０５をスプリング１０７の付勢力に抗してスライドさせれば（つまり、図８における左方向にスライドさせれば）、そのスライド部材１０５の突起１０５ａと上記係合溝１１１ａとの嵌合が解除して、エマージェンシーキー１１１を本体１０３の収納部１０９から抜き出すことができるようになる。尚、図８において、（Ａ）は、携帯機１０１の正面図であり、（Ｂ）は、携帯機１０１の左側面図である。
【０００５】
【特許文献１】
特開２００２−３２２８４１号公報（図３）
【０００６】
【発明が解決しようとする課題】
上記のように、従来の携帯機では、エマージェンシーキーを本体の収納部に着脱可能に保持するためのロック機構を、その本体の方に設けているため、携帯機を小型化するのに障害となっていた。
【０００７】
そこで、本発明は、電子キーシステムの携帯機を小型化することを目的としている。
【０００８】
【課題を解決するための手段及び発明の効果】
上記目的を達成するためになされた請求項１に記載の電子キーシステムの携帯機では、当該携帯機の本体に設けられた収納部にメカニカルなエマージェンシーキーが挿入されて収納されるが、特に、そのエマージェンシーキーを収納部に着脱可能に保持するためのロック機構が、エマージェンシーキー側に設けられている。
【０００９】
このため、携帯機の本体に手動でスライド操作されるスライド部材などを設ける必要がなく、携帯機の本体（延いては、携帯機）を小型化することができる。
次に、請求項２に記載の携帯機では、請求項１の携帯機において、エマージェンシーキーの使用時には、前記収納部から抜かれたエマージェンシーキーが、その収納部に当該エマージェンシーキーの後端側から所定長だけ挿入されることで、当該エマージェンシーキーにて鍵溝が設けられたキー部分が当該携帯機の本体から突出した状態となるように構成されている。
【００１０】
このような請求項２の携帯機では、エマージェンシーキーの使用時に、当該携帯機の本体がエマージェンシーキーを捻り操作するためのグリップとなるため、エマージェンシーキーが細くても、また、エマージェンシーキーの後端部を大きくしなくても、操作性を良好にすることができる。
【００１１】
つまり、エマージェンシーキーの操作性を良好にするためには、例えば、エマージェンシーキーの幅を広くするか、あるいは、図８に例示したエマージェンシーキー１１１のように、その後端部に大きなグリップ部１１１ｂを設けることが考えられるが、請求項２の構成によれば、そのようなグリップ部１１１ｂを設けたり、エマージェンシーキーの幅を広くしたりする必要がなく、その結果、携帯機を一層小型化することができる。
【００１２】
一方、請求項１の携帯機において、ロック機構としては、携帯機の本体（以下、携帯機本体ともいう）における特定部分との係合／非係合が手動で切り換え可能なものであれば良いが、具体的には請求項３のような構成のものが簡単で好ましい。
【００１３】
即ち、請求項３に記載の携帯機では、ロック機構が、エマージェンシーキーにて鍵溝が設けられていない後端付近に、当該エマージェンシーキーの側面から外側へ突出するように設けられた部分であって、エマージェンシーキーの外側から内側への方向に押されることで、そのエマージェンシーキーの側面よりも外側へ突出する基準位置から、該エマージェンシーキーの側面よりも外側へ突出しない位置に移動するボタン部と、そのボタン部を支持すると共に、該ボタン部が前記方向に押された際には、該ボタン部を前記基準位置へ戻る方向に付勢する支持部とからなっている。そして、携帯機の本体には、エマージェンシーキーが収納部に収納された状態で、そのエマージェンシーキーの前記ボタン部が嵌合する保持穴が設けられている。
【００１４】
このような請求項３の携帯機では、エマージェンシーキーが携帯機本体の収納部に収納された状態において、エマージェンシーキーのボタン部が携帯機本体の保持穴に嵌合することにより、そのエマージェンシーキーが収納部から抜けてしまうことが防止される。
【００１５】
そして、その状態で、携帯機本体の外側から、上記保持穴に勘合しているエマージェンシーキーのボタン部を押せば、そのボタン部と保持穴との嵌合が解除される。尚、以下の説明では、このようにしてボタン部と保持穴との嵌合を解除することを、「ロックを解除する」ともいう。
【００１６】
このため、携帯機本体の収納部からエマージェンシーキーを抜き出す場合には、上記保持穴に勘合しているエマージェンシーキーのボタン部を押しながら、そのエマージェンシーキーの端部を引っ張れば良い。
また、請求項２の携帯機は、具体的には請求項４のように構成することができる。
【００１７】
即ち、請求項４に記載の携帯機では、請求項３の携帯機において、エマージェンシーキーの使用時には、携帯機本体の収納部から抜かれたエマージェンシーキーが、その収納部に当該エマージェンシーキーの後端側から挿入されると共に、前記ボタン部が前記保持穴に嵌合することで、当該エマージェンシーキーにて鍵溝が設けられたキー部分が携帯機本体から突出した状態となる。
【００１８】
このような請求項４の携帯機によれば、請求項２の携帯機について述べた効果に加えて、更に、エマージェンシーキーの使用時にも、そのエマージェンシーキーのボタン部が携帯機本体の保持穴に嵌合するロック状態となるため、エマージェンシーキーと、グリップとしての役割を果たす携帯機本体との連結がしっかりしたものとなり、延いては、操作性を一層良好にすることができる。
【００１９】
次に、請求項５に記載の携帯機では、請求項４の携帯機において、携帯機本体の収納部は、エマージェンシーキーを貫通させることが可能に形成されている。
そして更に、携帯機本体には、収納部に収納されたエマージェンシーキーを該収納部内で摺動させて、そのエマージェンシーキーのキー部分（鍵溝が設けられた部分）を当該本体から突出させた場合に、エマージェンシーキーのボタン部が嵌合する第２の保持穴が設けられている。
【００２０】
この請求項５の携帯機によれば、下記の（１）又は（２）の何れかの方法でエマージェンシーキーを使用することができる。尚、以下の請求項５に関する説明では、第２の保持穴とは違う方の保持穴のことを、その第２の保持穴との区別を明確にするために、第１の保持穴ともいう。
【００２１】
（１）エマージェンシーキーを、請求項３の携帯機について述べた手順で携帯機本体の収納部から抜き出し、その抜いたエマージェンシーキーを、携帯機本体の収納部に後端側からボタン部が第１の保持穴に嵌合するまで差し込む。すると、エマージェンシーキーのキー部分が携帯機本体から突出した状態となる。つまり、この使用方法は、請求項４の携帯機と同じである。
【００２２】
（２）エマージェンシーキーが携帯機本体の収納部に収納されている状態で、携帯機本体の外側から、第１の保持穴に勘合しているエマージェンシーキーのボタン部を押して、ロックを解除し、更に、エマージェンシーキーを、その先端側が携帯機本体から突出する方向に収納部内で摺動させて、ボタン部を第２の保持穴に嵌合させる。すると、この場合も、エマージェンシーキーのキー部分が携帯機本体から突出した状態となる。つまり、この場合には、エマージェンシーキーのキー部分が、携帯機本体において上記（１）の場合とは反対側から突出した状態となる。
【００２３】
よって、このような請求項５の携帯機によれば、エマージェンシーキーを使用したい場合において、使用者の好みに合った使用方法を採ることができ有利である。そして、このことから、高級感及び商品性を高めることができる。
次に、請求項６に記載の携帯機では、請求項５の携帯機において、当該携帯機の本体には、第１の保持穴と第２の保持穴とを結ぶスリットが形成されている。そして更に、エマージェンシーキーのボタン部には、当該エマージェンシーキーを収納部内で摺動させる際に前記スリットから突出する突起が設けられている。
【００２４】
このような請求項６の携帯機によれば、上記（２）の使用方法を実施する際に、ボタン部の突起をスリットに沿ってスライドさせるだけで、エマージェンシーキーを収納部内で摺動（スライド）させることができる。よって、エマージェンシーキーのキー部分を携帯機本体から突出させるための操作が簡単になる。
【００２５】
一方、請求項７に記載の携帯機では、請求項３又は請求項４の携帯機において、収納部には、エマージェンシーキーが当該収納部に収納されてボタン部が前記保持穴に嵌合している状態で、そのエマージェンシーキーを当該収納部から押し出す方向に付勢する付勢部材が設けられている。
【００２６】
このような請求項７の携帯機によれば、エマージェンシーキーが携帯機本体の収納部に収納されている状態で、携帯機本体の外側から、保持穴に勘合しているエマージェンシーキーのボタン部を押してロックを解除すると、上記付勢部材の付勢力により、エマージェンシーキーが収納部から自動的に押し出されることとなる。よって、エマージェンシーキーを使用したい場合に、携帯機本体の収納部からエマージェンシーキーを抜き出す作業を、非常に簡単なものにすることができる。
【００２７】
ところで、エマージェンシーキーは、一般に金属で形成されるが、請求項８に記載の如く、エマージェンシーキーの少なくとも本体部分を樹脂で形成するようにすれば、軽量なものとなり有利である。しかも、エマージェンシーキーを樹脂で形成すれば、携帯機本体内に設けられる無線通信回路の通信動作に影響を及ぼすことがないという点においても有利である。
【００２８】
【発明の実施の形態】
以下、本発明が適用された実施形態の電子キーシステムの携帯機について、図面を用いて説明する。尚、本実施形態の携帯機は、使用者に携帯される小型の電子キーユニットと車載電子装置との間で無線通信によりＩＤを照合し、その照合結果に基づき車両のドアの施解錠やエンジンの始動許可などを行う、所謂イモビライザーシステムを兼ね備えたスマートキーシステムにおいて、使用者側の電子キーユニットとして用いられるものである。
【００２９】
［第１実施形態］
まず図１は、第１実施形態の携帯機１を表す斜視図であり、特に（Ａ）は、使用者に携帯される場合の通常の状態を表し、（Ｂ）〜（Ｄ）の各々は、当該携帯機１に内蔵された後述のエマージェンシーキーが使用される場合の状態を段階的に表している。
【００３０】
携帯機１は、樹脂によって略直方体に形成された本体（以下、携帯機本体ともいう）３の内部に、車載電子装置の通信回路とＩＤ照合用の無線通信を行うためのアンテナ、送受信回路及びマイコン等からなるＩＤ照合通信処理部と、そのＩＤ照合通信処理部が動作するための電池と、該電池の電力が無くなった場合に車載電子装置のトランスポンダ送受信回路との間で電磁誘導式の無線通信によりＩＤ照合を行うトランスポンダとを備えている。尚、これら内部の電子回路部分については、一般的なものであるため、図示は省略している。
【００３１】
そして更に、本体３には、上記電池の電力が無くなった場合に使用されるメカニカルなエマージェンシーキー５を収納するための収納部７が設けられており、通常の状態では、その収納部７にエマージェンシーキー５が挿入されて収納されている。
【００３２】
尚、収納部７は、本体３の一つの側面３ａの内側に沿って設けられている。また、エマージェンシーキー５は、本携帯機１の電池の電力が無くなった場合に、車両のドアに設けられているキーシリンダに差し込んで該ドアを解錠又は施錠するために用いられ、システムによっては、例えば車室内に設けられたキーシリンダに差し込むことで、車載電子装置の動作モードを、上記トランスポンダ送受信回路により本携帯機１のトランスポンダとＩＤ照合を行う電磁誘導式通信モードに切り換えるために用いられる。
【００３３】
ここで、エマージェンシーキー５にて鍵溝が設けられていない後端付近には、当該エマージェンシーキー５の側面から外側へ突出するボタン９が設けられている。そして、そのボタン９は、エマージェンシーキー５の外側から内側への方向に押せば、エマージェンシーキー５の側面よりも外側へ突出する基準位置から、そのエマージェンシーキー５の側面よりも外側へ突出しない位置に移動し、押すことを止めれば（当該ボタン９を押す力が無くなれば）、上記基準位置へ戻るようになっている。
【００３４】
また、エマージェンシーキー５の後端には、リング１１が設けられている。このリング１１は、当該エマージェンシーキー５を、本体３の収納部７から抜き出した単独の状態で携帯したり保管する際において、キーホルダー等に取り付けることができるように設けられている。
【００３５】
一方、携帯機本体３の側面のうち、収納部７の側壁となっている１つの側面３ａには、エマージェンシーキー５が収納部７に収納された状態で、そのエマージェンシーキー５の上記ボタン９が嵌合する穴（保持穴に相当）１３が設けられている。
【００３６】
次に、エマージェンシーキー５の構成について、図２を用い更に詳しく説明する。尚、図２において、（Ａ）は、エマージェンシーキー５の正面図であり、（Ｂ）は、エマージェンシーキー５の右側面図であり、（Ｃ）は、エマージェンシーキー５の背面図である。そして、（Ｄ）は、（Ａ）におけるＸ１−Ｘ１断面の一部を表す図である。
【００３７】
図２に示すように、エマージェンシーキー５は、長尺板状のキー本体（即ち、当該エマージェンシーキー５の本体部分）１５と、上記リング１１と、キー本体１５の後端付近に上記ボタン９を支持すると共に、リング１１をキー本体１５の後端に保持する金具１７とから構成されている。
【００３８】
キー本体１５にて、その先端（図２における下端）から後端（図２における上端）へ至る途中までのキー部分Ｋには、鍵溝が形成されている。そして、キー本体１５の後端付近において、ボタン９が突設される方の面（以下、この面を表面という）には、ボタン９を収容可能な溝１５ａが設けられており、その表面とは反対側の面（以下、裏面という）には、金具１７を保持するための係合孔１５ｂが設けられている。尚、本実施形態において、キー本体１５は、樹脂（例えば、ＰＡ６６）によって形成されている。
【００３９】
また、金具１７は、板バネ材からなり、キー本体１５の後端付近の表面と裏面とを挟み込むような断面略Ｕ字状に形成されている。
そして、金具１７は、その略Ｕ字状の頂部にリング１１を掛けた状態で、キー本体１５の後端から、そのキー本体１５の表面と裏面を挟むようにして差し込まれることにより、該キー本体１５の後端部に取り付けられている。
【００４０】
つまり、金具１７がキー本体１５の後端から差し込まれると、その金具１７にて、キー本体１５の裏面に接する側に設けられた突部１７ｂがキー本体１５の上記係合孔１５ｂに係合すると共に、金具１７にて、キー本体１５の溝１５ａに嵌る板バネ部１７ａの根本であってＬ字状に湾曲されたＬ字部分１７ｃが、その溝１５ａの壁１５ｃに係合することで、当該金具１７が固定される。
【００４１】
更に、金具１７において、キー本体１５の溝１５ａに嵌る上記板バネ部１７ａの外側面に、ボタン９が設けられている。尚、ボタン９は、金具１７と一体で形成されていても良いし、また、金具１７と別体のものを取り付けるようにしても良い。
【００４２】
そして、ボタン９に押圧力が加えられていない状態において、そのボタン９は、金具１７（特に、その板バネ部１７ａ）により、当該ボタン９の少なくとも外側面（図２（Ｂ），（Ｄ）の左側の面）がキー本体１５の側面（表面）から外側へ突出する基準位置（図２（Ｂ），（Ｄ）に示す位置）に支持されることとなる。
【００４３】
また、ボタン９がキー本体１５の外側から内側への方向に押されると、金具１７の板バネ部１７ａがたわんで、そのボタン９の外側面がキー本体１５の側面（表面）と同じ高さか、それよりもキー本体１５の中側に沈み込むようになっており、その際に、金具１７の板バネ部１７ａは、ボタン９を上記基準位置へ戻る方向に付勢する付勢部材として機能する。
【００４４】
以上のような携帯機１においては、図１（Ａ）に示すように、エマージェンシーキー５が携帯機本体３の収納部７に収納された状態では、エマージェンシーキー５のボタン９が携帯機本体３の穴１３に嵌合することにより、エマージェンシーキー５が収納部７から抜けてしまうことが防止される。
【００４５】
そして、図１（Ａ）の矢印Ｙ１で示すように、携帯機本体３の外側から、穴１３に勘合しているエマージェンシーキー５のボタン９を押せば、そのボタン９と穴１３との嵌合（即ちロック）が解除される。
このため、携帯機本体３の収納部７からエマージェンシーキー５を抜き出したい場合には、携帯機本体３の外側からエマージェンシーキー５のボタン９を押しながら、図１（Ｂ）の矢印Ｙ２に示すように、そのエマージェンシーキー５の後端（具体的には、リング１１の部分）を引っ張れば良い。
【００４６】
尚、携帯機本体３の収納部７からエマージェンシーキー５を抜き出す場合としては、電池の電力が無くなってエマージェンシーキー５を使用する場合の他にも、例えばホテルなどで他人に自動車の移動を依頼する場合が考えられる。つまり、不正行為によってエマージェンシーキー５の複製が作成されてしまうのを確実に防止するためである。
【００４７】
また、エマージェンシーキー５を使用する場合には、上記の手順で携帯機本体３の収納部７から抜いたエマージェンシーキー５を、図１（Ｃ）の矢印Ｙ３に示すように、その後端側（リング１１の側）から携帯機本体３の収納部７の開口７ａへ挿入し、図１（Ｄ）に示すように、ボタン９が携帯機本体３の穴１３に嵌合した状態にする。すると、エマージェンシーキー５（キー本体１５）にて鍵溝が設けられたキー部分Ｋが携帯機本体３から突出した状態となる。そして、携帯機本体３がエマージェンシーキー５を捻り操作するためのグリップとなる。
【００４８】
一方、エマージェンシーキー５を図１（Ｄ）の使用状態から図１（Ａ）の通常状態に戻すには、前述した手順と逆の作業を行えば良い。つまり、図１（Ｄ）の状態で、携帯機本体３の外側からエマージェンシーキー５のボタン９を押しながら、そのエマージェンシーキー５の先端を引っ張れば、エマージェンシーキー５を携帯機本体３から抜き出すことができる。そして、携帯機本体３の収納部７から抜いたエマージェンシーキー５を、その先端側から携帯機本体３の収納部７の開口７ａへ挿入し、図１（Ａ）の如くボタン９が携帯機本体３の穴１３に嵌合した状態にすれば良い。
【００４９】
尚、本第１実施形態では、エマージェンシーキー５に設けられた金具１７とボタン９が、ロック機構に相当しており、特にそのうちで、ボタン９がボタン部に相当し、金具１７が支持部に相当している。
以上のような本第１実施形態の携帯機１によれば、エマージェンシーキー５を収納部７に着脱可能に保持するためのボタン９及び金具１７からなるロック機構を、エマージェンシーキー５側に設けているため、携帯機本体３には穴１３だけを設ければ良く、携帯機本体３（延いては、本携帯機１）を小型化することができる。
【００５０】
しかも、本第１実施形態の携帯機１では、エマージェンシーキー５の使用時に、該エマージェンシーキー５を携帯機本体３の収納部７に逆挿入して、その携帯機本体３をエマージェンシーキー５のグリップとして機能させることができるため、エマージェンシーキー５の幅が細くても、また、エマージェンシーキー５の後端部を大きくしなくても、良好な操作性を確保することができ、その結果、一層の小型化を達成することができる。
【００５１】
そして更に、エマージェンシーキー５の使用時にも、そのエマージェンシーキー５のボタン９が携帯機本体３の穴１３に嵌合するロック状態となるため、エマージェンシーキー５と、グリップとしての役割を果たす携帯機本体３との連結がしっかりしたものとなり、操作性を一層良好にすることができる。
【００５２】
また、エマージェンシーキー５のキー本体１５は、金属で形成しても良いが、本第１実施形態の如く樹脂で形成した方が、軽量であるという点や、携帯機本体３内に設けられた無線通信用回路の通信動作に影響を及ぼすことがないという点において有利である。
【００５３】
［第２実施形態］
次に、第２実施形態の携帯機について説明する。尚、以下の第２実施形態及び他の各実施形態に関する説明において、第１実施形態の携帯機１と同様の構成要素及び部分については、同じ符号を用いることにより、詳細な説明は省略する。
【００５４】
第２実施形態の携帯機では、第１実施形態の携帯機１と比較すると、エマージェンシーキー５のみが異なっており、図３に示すように、本第２実施形態のエマージェンシーキー５では、当該エマージェンシーキー５を携帯機本体３の収納部７に着脱可能に保持するためのボタン９及びそれを支持するバネ部１９からなるロック機構と、リング１１とが、樹脂製のキー本体１５と一体で成形されている。尚、図３において、（Ａ）は、エマージェンシーキー５の正面図であり、（Ｂ）は、エマージェンシーキー５の右側面図であり、（Ｃ）は、エマージェンシーキー５の背面図である。そして、（Ｄ）は、（Ａ）におけるＸ２−Ｘ２断面の一部を表す図である。
【００５５】
即ち、本第２実施形態のエマージェンシーキー５では、キー本体１５の後端付近の部分であって第１実施形態の溝１５ａに相当する部分が、そのキー本体１５の表面側と裏面側とを貫通させる空間２１となっている。そして、その空間２１内に、ボタン９と、そのボタン９を当該空間２１内に支持するバネ部１９とが、キー本体１５と一体で成形されている。また、キー本体１５の後端には、リング１１が一体成形されている。
【００５６】
そして、このような第２実施形態のエマージェンシーキー５においても、ボタン９は、押圧力が加えられていない状態では、バネ部１９により、当該ボタン９の少なくとも外側面（図３（Ｂ），（Ｄ）の左側の面）がキー本体１５の側面（表面）から外側へ突出する基準位置（図３（Ｂ），（Ｄ）に示す位置）に支持される。
【００５７】
また、ボタン９がキー本体１５の外側から内側への方向に押されると、バネ部１９がたわんで、そのボタン９の外側面がキー本体１５の側面（表面）と同じ高さか、それよりもキー本体１５の中側に沈み込むようになっており、その際に、バネ部１９は、ボタン９を上記基準位置へ戻る方向に付勢する付勢部材として機能する。
【００５８】
そして、以上のような第２実施形態の携帯機によっても、ロック機構の構成は異なるが、第１実施形態の携帯機１と全く同様の効果を得ることができる。尚、本第２実施形態では、ボタン９がボタン部に相当し、バネ部１９が支持部に相当している。
【００５９】
［第３実施形態］
次に、第３実施形態の携帯機について説明する。
第３実施形態の携帯機も、第１実施形態の携帯機１に対して、エマージェンシーキー５のみが異なっている。
【００６０】
そして、図４に示すように、本第３実施形態のエマージェンシーキー５では、当該エマージェンシーキー５を携帯機本体３の収納部７に着脱可能に保持するためのボタン９及びそれを支持するバネ部２３からなるロック機構が、キー本体１５とは別体の樹脂で成形されており、また、リング１１がキー本体１５と一体で成形されている。尚、図４において、（Ａ）は、エマージェンシーキー５の正面図であり、（Ｂ）は、エマージェンシーキー５の右側面図であり、（Ｃ）は、エマージェンシーキー５の背面図である。そして、（Ｄ）は、（Ａ）におけるＸ３−Ｘ３断面の一部を表す図である。
【００６１】
更に詳しく説明すると、本第３実施形態のエマージェンシーキー５では、キー本体１５の後端付近の部分であって第１実施形態の溝１５ａに相当する部分が、キー本体１５の表面側よりも裏面側の方が開口の大きい空間２５となっており、その空間２５の表面側の開口（以下、表面側開口という）２５ａは、ボタン９を突出させることが可能な円形になっている。
【００６２】
そして更に、キー本体１５にて、円形の上記表面側開口２５ａよりも当該キー本体１５の先端寄り（図４において下方）の位置には、表面側から上記空間２５の裏面側の開口に連通する固定孔２７が設けられている。
一方、バネ部２３の先端にボタン９が設けられており、また、そのバネ部２３にて、ボタン９とは反対側には、キー本体１５の上記固定孔２７に係合するスナップ式の係合突起２３ａが設けられている。
【００６３】
そして、バネ部２３は、キー本体１５の裏面側から空間２５内に入れられて、上記係合突起２３ａがキー本体１５の固定孔２７に係合することで、キー本体１５に取り付けられ、ボタン９を上記表面側開口２５ａから突出させた状態に支持することとなる。
【００６４】
このような第３実施形態のエマージェンシーキー５においても、ボタン９は、押圧力が加えられていない状態では、バネ部２３により、当該ボタン９の少なくとも外側面（図４（Ｂ），（Ｄ）の左側の面）がキー本体１５の側面（表面）から外側へ突出する基準位置（図４（Ｂ），（Ｄ）に示す位置）に支持される。
【００６５】
また、ボタン９がキー本体１５の外側から内側への方向に押されると、バネ部２３がたわんで、そのボタン９の外側面がキー本体１５の側面（表面）と同じ高さか、それよりもキー本体１５の中側に沈み込むようになっており、その際に、バネ部２３は、ボタン９を上記基準位置へ戻る方向に付勢する付勢部材として機能する。
【００６６】
そして、以上のような第３実施形態の携帯機によっても、ロック機構の構成は異なるが、第１実施形態の携帯機１と全く同様の効果を得ることができる。尚、本第３実施形態では、ボタン９がボタン部に相当し、バネ部２３が支持部に相当している。
【００６７】
一方、本第３実施形態においても、キー本体１５は、金属で形成しても良いが、前述したように樹脂で形成した方が有利である。また、キー本体１５を樹脂で形成する場合、バネ部２３は、キー本体１５の樹脂よりも弾性が高い樹脂で形成することが好ましい。キー本体１５には数回から数十回程度の使用に耐え得る強度が必要であるのに対して、バネ部２３には弾性が必要であるからである。
【００６８】
［第４実施形態］
次に、第４実施形態の携帯機について図５を用い説明する。尚、図５は、第４実施形態の携帯機３１の説明図であり、特に（Ａ）は、使用者に携帯される場合の携帯機３１の通常状態を表す斜視図であり、（Ｂ），（Ｃ）の各々は、エマージェンシーキー５が使用される場合の携帯機３１の状態を段階的に表す斜視図である。また、（Ｄ）は、エマージェンシーキー５の単体の斜視図である。
【００６９】
本第４実施形態の携帯機３１は、第１実施形態の携帯機１と比較すると、下記の（１−１）及び（１−２）の２点が異なっている。
（１−１）携帯機本体３の収納部７は、エマージェンシーキー５を貫通させることが可能に形成されている。つまり、図５では隠れているが、携帯機本体３にて収納部７の開口７ａがある側面とは反対側の側面にも、その収納部７の開口７ｂが設けられている。
【００７０】
（１−２）携帯機本体３にて穴１３が設けられた側面３ａには、その側面３ａの長手方向の中心位置に対して穴１３と対象な位置に、その穴１３と同じ形状及び寸法の穴（第２の保持穴に相当）３３が設けられている。
このような第４実施形態の携帯機３１では、第１実施形態の携帯機１と同じ手順だけでなく、下記の手順でもエマージェンシーキー５を使用することができる。
【００７１】
まず、図５（Ａ）の如くエマージェンシーキー５が携帯機本体３の収納部７に収納されている状態で、携帯機本体３の外側から、穴１３に勘合しているエマージェンシーキー５のボタン９を押してロックを解除しながら、図５（Ａ）の矢印Ｙ４に示すように、そのエマージェンシーキー５の後端（具体的には、リング１１の部分）を携帯機本体３の方へ押す。
【００７２】
すると、エマージェンシーキー５が収納部７内で開口７ｂの方へ摺動して、図５（Ｂ）に示すように、その開口７ｂからエマージェンシーキー５の先端が突出することとなる。
そして次に、収納部７の開口７ｂから突出したエマージェンシーキー５の先端を、図５（Ｂ）の矢印Ｙ５に示すように引っ張る。
【００７３】
すると、図５（Ｃ）に示すように、エマージェンシーキー５のボタン９が携帯機本体３の穴３３の方に嵌合すると共に、エマージェンシーキー５のキー部分Ｋが携帯機本体３から突出した状態となる。つまり、この場合には、エマージェンシーキー５のキー部分Ｋが、携帯機本体３において第１実施形態の場合（詳しくは、図１（Ｄ）の場合）とは反対側から突出した状態となる。
【００７４】
以上のような第４実施形態の携帯機３１によれば、エマージェンシーキー５を使用したい場合において、使用者の好みに合った使用方法を採ることができる。そして、このことから、高級感及び商品性を高めることができる。
尚、エマージェンシーキー５を図５（Ｃ）の使用状態から図５（Ａ）の通常状態に戻すには、携帯機本体３の外側から、穴３３に勘合しているエマージェンシーキー５のボタン９を押してロックを解除しながら、エマージェンシーキー５の先端を携帯機本体３の方（矢印Ｙ５とは反対の方向）へ押し、エマージェンシーキー５を収納部７内で開口７ａの方へと摺動させて、ボタン９を携帯機本体３の穴１３に嵌合させれば良い。また、図５（Ｃ）の状態で、携帯機本体３の外側からエマージェンシーキー５のボタン９を押しながら、そのエマージェンシーキー５の先端を引っ張って、該エマージェンシーキー５を携帯機本体３から一旦抜き出し、その抜いたエマージェンシーキー５を、その先端側から携帯機本体３の収納部７の開口７ａへ挿入して、図５（Ａ）の如くボタン９が携帯機本体３の穴１３に嵌合した状態にしても良い。
【００７５】
一方、エマージェンシーキー５としては、図３、図４に示した第２、第３実施形態のものを用いても良い。
［第５実施形態］
次に、第５実施形態の携帯機について図６を用い説明する。尚、図６は、第５実施形態の携帯機３５の説明図であり、特に（Ａ）は、使用者に携帯される場合の携帯機３５の通常状態を表す斜視図であり、（Ｄ）は、本携帯機３５に内蔵されるエマージェンシーキー５’の単体の斜視図である。そして、（Ｂ），（Ｃ）の各々は、エマージェンシーキー５’が使用される場合の携帯機３５の状態を段階的に表す斜視図である。
【００７６】
本第５実施形態の携帯機３５は、第４実施形態の携帯機３１と比較すると、下記の（２−１）及び（２−２）の２点が異なっている。
（２−１）携帯機本体３の側面３ａに、穴１３と穴３３とを結ぶ直線状のスリット３７が形成されている。
【００７７】
（２−２）本携帯機３５に内蔵されるエマージェンシーキー５’は、第１実施形態のエマージェンシーキー５に対して、ボタン９の外側面に突起９ａを設けたものとなっている。そして、この突起９ａは、エマージェンシーキー５’を携帯機本体３の収納部７内で摺動させる際に、上記スリット３７から突出するようになっている。つまり、突起９ａの幅は、スリット３７の幅よりも若干小さく、また、突起９ａの高さは、スリット３７の深さ（即ち、携帯機本体３の側面３ａを成す側壁の厚さ）よりも若干大きく設定されている。
【００７８】
このような第５実施形態の携帯機３５によれば、エマージェンシーキー５’を収納部７内で摺動させて、キー部分Ｋを携帯機本体３における開口７ｂ側から突出させる操作が非常に簡単となる。
即ち、図６（Ａ）の如くエマージェンシーキー５’が携帯機本体３の収納部７に収納されている状態で、携帯機本体３の外側から、穴１３に勘合しているボタン９の突起９ａの部分を押してロックを解除し、その突起９ａに指をかけて、該突起９ａを図６（Ｂ）の矢印Ｙ６に示すように、穴３３の方向へスリット３７に沿ってスライドさせるだけで、エマージェンシーキー５’を収納部７内で摺動させることができ、図６（Ｃ）に示すように、エマージェンシーキー５’のキー部分Ｋが携帯機本体３から突出した状態にすることができる。
【００７９】
また、エマージェンシーキー５’を図６（Ｃ）の使用状態から図６（Ａ）の通常状態に戻す際にも、携帯機本体３の外側から、穴３３に勘合しているボタン９の突起９ａの部分を押してロックを解除し、その突起９ａに指をかけて、該突起９ａを穴１３の方向へスリット３７に沿ってスライドさせるだけで良い。
【００８０】
尚、エマージェンシーキー５’としては、図３、図４に示した第２、第３実施形態のエマージェンシーキー５に対して、ボタン９に上記突起９ａを設けたものを用いても良い。
［第６実施形態］
次に、第６実施形態の携帯機について図７を用い説明する。
【００８１】
本第６実施形態の携帯機４１は、第１実施形態の携帯機１に対して、下記の点のみが異なっている。
即ち、図７に示すように、携帯機本体３の収納部７において、開口７ａ側とは反対側の端部（つまり、収納部７の終端位置）に、ゴムやバネなどからなる付勢部材４３が設けられている。そして、その付勢部材４３は、エマージェンシーキー５が収納部７に収納されてボタン９が穴１３に嵌合している状態で、そのエマージェンシーキー５の先端に当接して、該エマージェンシーキー５を収納部７から押し出す方向に付勢する。
【００８２】
このような第６実施形態の携帯機４１によれば、エマージェンシーキー５が収納部７に収納されている状態で、携帯機本体３の外側から、穴１３に勘合しているエマージェンシーキー５のボタン９を押してロックを解除すると、付勢部材４３の付勢力により、収納部７の開口７ａからエマージェンシーキー５の後端側が自動的に飛び出すこととなる。
【００８３】
よって、エマージェンシーキー５を使用したい場合に、携帯機本体３の収納部７からエマージェンシーキー５を抜き出すことが非常に容易となる。
尚、エマージェンシーキー５としては、図３、図４に示した第２、第３実施形態のものを用いても良い。
【００８４】
［その他］
以上、本発明の一実施形態について説明したが、本発明は、種々の形態を採り得ることは言うまでもない。
例えば、エマージェンシーキー５，５’のボタン９は、押された際に元の突出位置（基準位置）へ戻ろうとするようになっていれば、前述したものとは違う部材や構造で支持するようにしても良い。一例を挙げると、エマージェンシーキー５，５’の内部に、ボタン９を、そのボタン９が当該エマージェンシーキー５，５’の側面から突出／非突出可能となるように保持する円筒状の保持室を設け、更に、その保持室内にスプリングを設けて、そのスプリングによりボタン９に突出方向の付勢力を常時与える構成などでも良い。そして、この場合には、上記保持室とスプリングとが、支持部に該当することとなる。
【００８５】
一方、携帯機本体３の形状は、略直方体に限らず、様々な形状にすることができる。
また、本発明は、車両用の電子キーシステムに限らず、住宅用など様々な用途の電子キーシステムの携帯機に対して、同様に適用することができる。
【図面の簡単な説明】
【図１】第１実施形態の携帯機を表す斜視図である。
【図２】第１実施形態のエマージェンシーキーを説明する説明図である。
【図３】第２実施形態のエマージェンシーキーを説明する説明図である。
【図４】第３実施形態のエマージェンシーキーを説明する説明図である。
【図５】第４実施形態の携帯機を説明する説明図である。
【図６】第５実施形態の携帯機を説明する説明図である。
【図７】第６実施形態の携帯機を説明する説明図である。
【図８】従来の電子キーシステムの携帯機を説明する説明図である。
【符号の説明】
１，３１，３５，４１…携帯機、３…携帯機本体（携帯機の本体）、５，５’…エマージェンシーキー、Ｋ…キー部分、７…収納部、７ａ，７ｂ…開口、９…ボタン、９ａ…突起、１１…リング、１３，３３…穴、１５…キー本体、１７…金具、１７ａ…板バネ部、１９，２３…バネ部、２３ａ…係合突起、２７…固定孔、３７…スリット、４３…付勢部材
【図１】
2004353404.tif 000003
【図２】
2004353404.tif 000004
【図３】
2004353404.tif 000005
【図４】
2004353404.tif 000006
【図５】
2004353404.tif 000007
【図６】
2004353404.tif 000008
【図７】
2004353404.tif 000009
【図８】
2004353404.tif 000010